(57)【要約】【課題】  ディスクに直接触れることなく保存ケースから取外し保持させ、ディスククリーニング及びディスクの再生装置などにセットする光学式ディスクのハンドリング装置を得ること。【解決手段】  ハンドリング装置本体の一方面側に該本体を持つ把持部とディスクの吸着保持解除手段を設け、他方面側にディスクを吸着保持する複数個の吸盤を所定位置に設け、また上述ディスクの吸着保持解除手段と連動してディスクの吸着解除ができるように、吸盤の吸着解除手段を設け、ハンドリング装置本体のディスクを吸着保持する側の略中央部に、ディスク用保存ケースのディスク支持部を押圧解除するディスク支持解除用突起を設けると共に該ディスク支持解除用突起がディスク保持を解除のとき、該吸盤がディスクを吸着できる高さに設けている。【選択図】      図１
2010061700.tif 000002
【特許請求の範囲】
【請求項１】
ハンドリング装置本体の一方面側に該本体を持つ把持部とディスクの吸着保持解除手段を設け、他方面側にディスクを吸着保持する複数個の吸盤を所定位置に設け、また上述ディスクの吸着保持解除手段と連動してディスクの吸着解除ができるように、吸盤の吸着解除手段を設けたことを特徴とする光学式ディスクのハンドリング装置。
【請求項２】
ハンドリング装置本体のディスクを吸着保持する側の略中央部に、ディスク用保存ケースのディスク支持部を押圧解除するディスク支持解除用突起を設けると共に該ディスク支持解除用突起と吸盤の高さ位置関係において、該支持解除用突起がディスク保持を解除させたとき、該吸盤がディスクを吸着している高さである位置関係に設けたことを特徴とする請求校１記載の光学式ディスクのハンドリング装置。
【発明の詳細な説明】
【技術分野】
【０００１】
本発明は、ＣＤ、ＤＶＤ、ＢＤ（ブルーレイディスク）など光学式ディスク（以下ディスクと記載する。）をその保存ケースから取出し、装置にセットする時に用いる光学式ディスクのハンドリング装置に関する。
【背景技術】
【０００２】
従来、ディスクを使用する現状に於いて、多くは汎用の保存用ケース（ディスクのセンター穴に装着保持するストッパーを有するタイプのプラスチック製ハードケースで、以下、ケースと記載する。）に入れて使用しているが、そのケースから取出すとき、一般的にはケース中央突起のストッパーを軽く押し込むことで、ディスクが該ストッパーより外れ浮上がり、その状態でディスク周縁部を指先で摘むようにして取出すことが一般的に行われ、その取り出す時、指先がディスク周縁部から内側に曲がり、その曲がった指先の指紋がディスク周縁部に付着し、ディスク周縁部を汚していた。
【０００３】
また、ディスク表面に付着した埃及び指紋など汚れをクロスなどで拭き取るとき、上述のようにディスク周縁部を直接、指先で摘むように持って行われていた。
【０００４】
さらに、従来提案される先願の情報記録円盤のクリーニング用保持装置が有り、これは支持台の載置面にクリーニングすべき情報記録円盤を載せ、かつそのセンターホールの突起に弾性的付勢されて嵌合することと、また、把持部を手で持ち、クリーニングを行った後、載置面を下にしてこの保持装置を情報記録円盤のプレーヤやケースの設置部の上に位置させ、操作レバーを操作して、クリーニングした情報記録円盤に手を触れずにプレーヤやケースの設置部にセットすることが記載されていることから、ディスクを保存用ケースから指で摘み出し、そのまま支持台の載置面に載せクリーニングしたのち、操作レバーで該ディスクをプレーヤやケースの設置部に落すようにしてセットする装置である。（例えば、特許文献１参照）
【０００５】
加えて、従来提案される先願のＣ Ｄ ・Ｄ Ｖ Ｄ フローティングホルダーが有り、これはＣＤ・ＤＶＤ自体の両面を露出させたまま卓上等に接触させることなく保持することが記載されていることから、円錐型ヘッド１ ａの先端部がＣ Ｄ ・Ｄ Ｖ Ｄ の中央円孔よりも小さく、次第に大きくなる円錐型の形状の部分に保持させ、一時的に置いておく装置のフローティングホルダーである。（例えば、特許文献２参照）
【０００６】
【特許文献１】実開平２−６０９８０号公報
【特許文献２】特開２００５−２１２８９７号公報
【発明の開示】
【発明が解決しようとする課題】
【０００７】
上述した従来のディスクの取扱いは、ディスク周縁部を直接、指先で摘むように持って、保存用ケース若しくは装置に装着することで取扱われ、その保存ケースからディスクを取出す作業が煩雑でその改善が求められ、さらにディスクを直接その手で触れるとき、ディスクに指紋などの汚れが付くことが多く、拭取りなどの作業が必要となり、さらに煩雑で、またその拭取りが傷の原因となり、よってそれらに起因する録画又は再生装置による読みとりエラーとなることがあり、擦傷の原因となるクリーニングをできるだけ少なく済むような改善が求められていた。
【０００８】
それは、特に指紋の付着に於いて、ディスクを持つとき、ディスク周縁部を持つことが殆どで、その時指先が内側に曲がりやすく、そのことによりディスク周縁部に指紋が付着し、そのディスク表面に付着した指紋は、スプレーなどの洗浄剤で洗浄する商品として販売されているが、その洗浄には手間が掛かり、またクロスなどの使用では強くこすり拭き取らなければ汚れが落ちず、このようなことでは擦り傷は避けられず、またディスクを取出し持つたびにその様な、煩雑な行為を経なければならないなど、汚れを取ることと傷に対する注意の必要性から、保存ケースから直接、指で触れることなく取出し、そのままクリーニングとそして装置にセットするものが長らく求められていた。
【０００９】
そして、クリーニング時の擦り傷及び汚れなどは、ディスクの読みとりに不具合が生じる事があり、近年のＢＤに見る高密度のディスクでは特に注意が必要で、クリーニングの必要を最小限に抑え、クリーニングするときは、直接、指で取り扱うことなく、ディスクを取出した状態で安定してクリーニングできるものが待たれていた。
【００１０】
また、特許文献１に提案される情報記録円盤のクリーニング用保持装置は、クリーニングを終えた情報記録円盤をそこから取り外す時は直接手で触れることなくプレヤーやケースの載置部に置くとしているが、クリーニングする前に該装置にディスクを装着するとき、保存ケースからディスクを直接、手で取り出しその装置にセットするので、特に保存ケースからディスクを取出すときが最も汚れが付きやすく、その点で改善が成されず、上述したできるだけクリーニングを少なくするよう、保存ケースからディスクを取出すときのディスク周縁部に指紋などの汚れが付かないようにする改善が求められていた。
【００１１】
さらに、特許文献２に提案されるＣ Ｄ ・Ｄ Ｖ Ｄ フローティングホルダーは、上述特許文献１と同様の保存ケース若しくは再生等装置からディスクを直接指で摘み出して使用する該ディスクをフローティングホルダーに一時的に載置する装置で、上述の問題であるディスク周縁部に指紋などの汚れが付きやすいと言うことは同じで、その改善が求められていた。
【課題を解決するための手段】
【００１２】
本発明は、上記課題を有効に達成するための解決手段として、第一の解決手段にハンドリング装置本体の一方面側に該本体を持つ把持部とディスクの吸着保持解除手段を設け、他方面側にディスクを吸着保持する複数個の吸盤を所定位置に設け、また上述ディスクの吸着保持解除手段と連動してディスクの吸着解除ができるように、吸盤の吸着解除手段を設けたことで、
ディスクを直接触れることなくディスクの再生装置などにセットする事としている。
【００１３】
また、第二の解決手段にハンドリング装置本体のディスクを吸着保持する側の略中央部に、ディスク用保存ケースのディスク支持部を押圧解除するディスク支持解除用突起を設けると共に該ディスク支持解除用突起と吸盤の高さ位置関係において、該支持解除用突起がディスク保持を解除させたとき、該吸盤がディスクを吸着している高さである位置関係に設けたことで、
ディスクを直接触れることなく保存ケースから取外し、ディスクの再生装置などにセットする事としている。
【発明の効果】
【００１４】
本発明は、上述したそれぞれの手段によって効果が得られるようにしたもので、特に第一の解決手段のハンドリング装置本体の一方面側に該本体を持つ把持部とディスクの吸着保持解除手段を設け、他方面側にディスクを吸着保持する複数個の吸盤を所定位置に設け、また上述ディスクの吸着保持解除手段と連動してディスクの吸着解除ができるように、吸盤の吸着解除手段を設けたことにより、
ディスクを直接手で触れることなく、ディスクの再生装置などにセットする事ができ、このことから指紋などの汚れがディスクに再付着せず、よってディスククリーニングの回数を減らすことができ、そのことによる擦傷の可能性も減らすことができ、またハンドリング装置本体でディスクを保持した状態のままディスのククリーニングが行えるので、従来のように持つ指先が邪魔にならず、さらに指紋がディスク周縁部近傍に再付着することもない。
【００１５】
また、第二の解決手段のハンドリング装置本体のディスクを吸着保持する側の略中央部に、ディスク用保存ケースのディスク支持部を押圧解除するディスク支持解除用突起を設けると共に該ディスク支持解除用突起と吸盤の高さ位置関係において、該支持解除用突起がディスク保持を解除させたとき、該吸盤がディスクを吸着している高さである位置関係に設けたことにより、
保存ケースからディスクを取出すとき、ディスクの保持の解除と共に吸着保持して取出せるので、ディスクを直接手で触れることなく、且つディスクの取出しが容易に行え、またその状態でディスククリーニングが行え、さらにディスクをクリーニングした後、再生装置などのトレーに素早く容易にセットすることができる。
【００１６】
これらのことからディスクの取扱いが容易で、汚れの付着を最小限にすることができ、よってディスククリーニングの回数も減らせ、そのことによるディスク傷の可能性も減らすことができ、以上の点から、光学式ディスクの読みとり時における読みとりエラーを無くして使用できる。
これらのことから本発明は、実用上著大な効果を奏する。
【発明を実施するための最良の形態】
【００１７】
ディスク保存ケースからディスクを取出すとき、ディスクの保持の解除と共に吸盤にて吸着保持して取出し、そのディスク保持状態でディスクのクリーニングをすることが可能で、その後再生装置などのトレーにセットするなど、直接ディスクに触れることなくディスクの取扱いを容易にすることを実現させた。
【実施例】
【００１８】
本発明の実施例を図面に基づいて細説すると、図１において、１はハンドリング装置で、該ハンドリング装置１は、円盤状のハンドリング装置本体２の上面側に把持部３を設け、下面側に吸盤４，４をそれぞれ配設している。
【００１９】
そこで、該ハンドリング装置１の把持部３は、図２に示すように該ハンドリング装置１の略中央部に略長方体状に形成し、該把持部３の略中央左右に押しボタン部５，５を出没可能に配置すると共にその内側下部に短寸筒状の押圧ローラ６を周面を下にして遊嵌している。
【００２０】
そして、ハンドリング装置本体２の内部で、上述の押圧ローラ６の下部に接触横断する操作竿７をハンドリング装置本体２の内部の支持突起８，８に載置させ、該操作竿７は、直線バネ状で左右端部を下方に直角に曲げ、該先端を上述した吸盤４，４の後述する吸着解除部９，９にそれぞれ係止している。
なお、支持突起８，８の形成位置は、ハンドリング装置本体２の内部で、上述押圧ローラ６を中央とする左右対称位置にそれぞれ突出形成し、操作竿７を載置して支持している。
【００２１】
また、該吸着解除部９，９は、吸盤４，４の上面の周端部近傍にそれぞれ突出状に設けられ、該周端部近傍の吸着解除部９，９を持ち上げることで、吸盤４，４のその要部が変形し、その変形部分から吸着した吸盤４，４の下面の吸着面１０，１０に空気が入り吸着解除されるものである。
【００２２】
そのことから、吸盤４，４の吸着解除部９，９と操作竿７の両先端を連結し、該操作竿７の略中央部の上述押圧ローラ６の動きに連動する位置に、押圧ローラ６、操作竿７および吸盤４，４の吸着解除部９，９をそれぞれ配置している。
【００２３】
また、ハンドリング装置本体２の下面中心部に押圧突出部１１を突設し、該押圧突出部１１は、ディスク保存ケース１２に保持されるディスク１３を取り出す時、該ディスク保存ケース１２のディスク保持部１４を押圧変形させて、ディスク保持を解除させ、後述する吸盤４，４による吸着取り出しを容易にするものである。
【００２４】
なお、図１から図３に示す１５は、吸盤４，４で、ディスク１３を吸着保持したときおよびその状態でディスククリーニングを行うなどの時、ディスクの揺動を防止して安定させる揺動防止部１５である。
【００２５】
しかして、ハンドリング装置１の使用において、ディスク保存ケース１２に保存されているディスク１３を取り出すとき、先ず、図５に示すように、ハンドリング装置本体２の押圧突出部１１でディスク保存ケース１２の中央のディスク保持部１４を押圧することで該ディスク保持部１４が中心方向に歪みディスク１３の保持が解かれ、ディスク保存ケース１２から上方に取り出しやすくなる。
【００２６】
そして、押圧するその時を同じくして吸盤４，４がディスク１３を吸着すると共に上述、ディスク１３の保持が解かれるのと連携してディスク保存ケース１２からディスク１３が吸着された状態で保持され、図４に示すように吸盤４，４に吸着された状態で、ディスク保存ケース１２から取り出せる。
【００２７】
その、ディスク１３を取り出し保持した後、再生装置などのトレーに移し替えるとき、図６に示すように、吸盤４，４の吸着解除部９，９により吸盤４，４の要部を変形させることで吸着する吸盤４，４内に空気を入れて解除し、再生装置などのトレー上に落とすように載置する。
【００２８】
つまり、把持部３の押しボタン部５，５を押すことにより、図６に示すように、押圧ローラ６が下に押されると共に連動して操作竿７も押され、そして該操作竿７が左右の支持突起８，８を支点に中央部が凹むようにたわみ、よって該操作竿７の左右端が持ち上がり、そのことにより吸盤４，４の吸着解除部９，９も持ち上がることで吸盤４，４の要部を変形させて吸着する吸盤４，４内に空気を入れて、吸着が解除される。
【００２９】
上述の一連の操作において、再生装置などのトレーに移し替えるとき、該トレーの上で行えば、手でディスク１３を直接、触ることなくディスク保存ケース１２から該トレーに移し換えることができ、指紋などの汚れをディスク１３に付けることがない。
【００３０】
また、上述のディスク１３を吸着した状態で、従来行われているディスク１３の読みとり面をクリーニングするとき、持つ指などに邪魔されずクリーニングでき、ディスク１３を直接持つことがないので、指紋などの付着も起きず、ディスク保存ケース１２よりディスク１３を取り出しクリーニングすることができる。
【００３１】
なお、吸盤４，４の代りにベローズポンプ、真空装置などの真空を利用して、ディスク１３を吸着保持し、またそのディスク１３の吸着解除は、真空弁を開けることで解除できるようにして使用しても良いが図示は省略した。  
【００３２】
また、ディスク１３の印刷側のレーベル面が荒く吸盤４，４の吸着が弱いとき、従来提案される吸盤４，４の吸着面周縁近傍面に粘着部材を用いて真空吸着を妨げる若干の凹凸を粘着部材で埋めるようにし、又は弱い該粘着で補助するように粘着させても良いが図示は省略した。
【図面の簡単な説明】
【００３３】
【図１】本発明実施例の斜視図である。
【図２】本発明実施例の正面部分断面図である。
【図３】本発明実施例の底面図である。
【図４】本発明実施例の使用状態を示す正面部分断面図である。
【図５】本発明実施例の使用状態を示す要部の正面部分断面図である。
【図６】本発明実施例の使用状態を示す要部の正面部分断面図である。
【符号の説明】
【００３４】
１  ハンドリング装置
２  ハンドリング装置本体
３  把持部
４  吸盤
５  押しボタン部
６  押圧ローラ
７  操作竿
９  吸着解除部
１１  押圧突出部
【図１】
2010061700.tif 000003
【図２】
2010061700.tif 000004
【図３】
2010061700.tif 000005
【図４】
2010061700.tif 000006
【図５】
2010061700.tif 000007
【図６】
2010061700.tif 000008
【手続補正書】
【提出日】平成20年12月9日(2008.12.9)
【手続補正１】
【補正対象書類名】特許請求の範囲
【補正対象項目名】全文
【補正方法】変更
【補正の内容】
【特許請求の範囲】
【請求項１】
ディスクを安定保持できるよう該ディスクと略同径のハンドリング装置本体とし、その一方の上面側に該本体を持つ把持部とディスクを吸着解除する押しボタンなど操作部を設け、他方の下面側にディスクを吸着保持する複数個の吸盤を所定位置に設け、該吸盤の要部を変形させて吸着解除する吸着解除手段を設けると共に上記操作部の連動によりディスクの吸着解除ができるように、該吸着解除手段と操作部を連動部材を介して連動させたことを特徴とする光学式ディスクのハンドリング装置。
【請求項２】
ハンドリング装置本体のディスクを吸着保持する側の略中央部に、ディスク用保存ケースのディスク支持部を押圧ディスク支持解除するディスク支持解除用突起を設けると共に該ディスク支持解除用突起と吸盤の吸着面の高さ位置は、該支持解除用突起がディスク保持を押圧解除する位置と上記吸盤がディスクを吸着する位置が同位置となるように設けたことを特徴とする請求校１記載の光学式ディスクのハンドリング装置。
【手続補正２】
【補正対象書類名】明細書
【補正対象項目名】００１２
【補正方法】変更
【補正の内容】
【００１２】
本発明は、上記課題を有効に達成するための解決手段として、第一の解決手段にディスクを安定保持できるよう該ディスクと略同径のハンドリング装置本体の、その一方の上面側に該本体を持つ把持部とディスクを吸着解除する押しボタンなど操作部を設け、他方の下面側にディスクを吸着保持する複数個の吸盤を所定位置に設け、該吸盤の要部を変形させて吸着解除する吸着解除手段を設けると共に上記操作部の連動によりディスクの吸着解除ができるように、該吸着解除手段と操作部を連動部材を介して連動させたことで、
ディスクに直接触れることなく保持してディスククリーニング及びディスクを再生装置などにセットする事としている。
【手続補正３】
【補正対象書類名】明細書
【補正対象項目名】００１３
【補正方法】変更
【補正の内容】
【００１３】
また、第二の解決手段にハンドリング装置本体のディスクを吸着保持する側の略中央部に、ディスク用保存ケースのディスク支持部を押圧ディスク支持解除するディスク支持解除用突起を設けると共に該ディスク支持解除用突起と吸盤の吸着面の高さ位置は、該支持解除用突起がディスク保持を押圧解除する位置と上記吸盤がディスクを吸着する位置が同位置となるように設けたことで、
ディスクを直接触れることなく保存ケースから取外し保持してディスククリーニング及びディスクを再生装置などにセットする事としている。
【手続補正４】
【補正対象書類名】明細書
【補正対象項目名】００１４
【補正方法】変更
【補正の内容】
【００１４】
本発明は、上述したそれぞれの手段によって効果が得られるようにしたもので、特に第一の解決手段のディスクを安定保持できるよう該ディスクと略同径のハンドリング装置本体とし、その一方の上面側に該本体を持つ把持部とディスクを吸着解除する押しボタンなど操作部を設け、他方の下面側にディスクを吸着保持する複数個の吸盤を所定位置に設け、該吸盤の要部を変形させて吸着解除する吸着解除手段を設けると共に上記操作部の連動によりディスクの吸着解除ができるように、該吸着解除手段と操作部を連動部材を介して連動させたことにより、
ディスクを直接手で触れることなく保持させ、ディスクを再生装置などにセットする事ができることから指紋などの汚れがディスクに再付着せず、よってディスククリーニングの回数を減らすことで擦傷も減らすことができ、またハンドリング装置本体でディスクを保持した状態でディスのククリーニングが行えるので、従来のように持つ指先が邪魔にならず、さらに指紋がディスク周縁部近傍に再付着することもない。
【手続補正５】
【補正対象書類名】明細書
【補正対象項目名】００１５
【補正方法】変更
【補正の内容】
【００１５】
また、第二の解決手段のハンドリング装置本体のディスクを吸着保持する側の略中央部に、ディスク用保存ケースのディスク支持部を押圧ディスク支持解除するディスク支持解除用突起を設けると共に該ディスク支持解除用突起と吸盤の吸着面の高さ位置は、該支持解除用突起がディスク保持を押圧解除する位置と上記吸盤がディスクを吸着する位置が同位置となるように設けたことにより、
ディスク保存ケースからディスクを取出すとき、ディスクの保持の解除と共に吸着保持して取出せるので、ディスクに直接、指で触れることなく、且つディスクの取出しが容易に行え、またその保持した状態でディスククリーニングが行え、さらにディスクをクリーニングした後、再生装置などのトレーに素早く容易にセットすることができる。
【手続補正６】
【補正対象書類名】明細書
【補正対象項目名】００１６
【補正方法】変更
【補正の内容】
【００１６】
これらのことからディスク保存ケースからの取り出し、保持、そして再生装置にセットなどディスクの取扱いが容易で、汚れの付着を最小限に止めることができ、よってディスクの取り扱い時に生じる汚れ付着を減らすことでディスククリーニングの回数も減らせ、そのことによる擦り傷などのディスク傷の可能性も減らすことができ、以上の点から、光学式ディスクの読みとり時における読みとりエラーを無くして使用でき、これらのことから本発明は、実用上著大な効果を奏する。
【手続補正７】
【補正対象書類名】明細書
【補正対象項目名】００２０
【補正方法】変更
【補正の内容】
【００２０】
そして、上述の押圧ローラ６の下部に接触横断する操作竿７を該ハンドリング装置本体２の内部の支持突起８，８に載置させ、該操作竿７は直線バネ細棒状で左右端部を下方に直角に曲げ、該先端を上述した吸盤４，４の後述する吸着解除部９，９にそれぞれ係止している。
なお、支持突起８，８の形成位置は、ハンドリング装置本体２の内部の上述押圧ローラ６を中央とする左右対称位置でそれぞれ突出形成し、二点支持の天秤状に操作竿７を載置して支持している。
【手続補正８】
【補正対象書類名】明細書
【補正対象項目名】００２８
【補正方法】変更
【補正の内容】
【００２８】
つまり、把持部３の押しボタン部５，５を押すことにより、図６に示すように、押圧ローラ６が下に押されると共に連動して操作竿７の中央部も押され、そのことにより該操作竿７が左右の支持突起８，８を支点に中央部が凹むようにたわむと共に該操作竿７の左右端が持ち上がり、そのことにより吸盤４，４の吸着解除部９，９を持ち上げることで吸盤４，４の要部が引っ張り上げられて変形し、吸着する吸盤４，４内に空気が入り吸着が解除される。
【手続補正９】
【補正対象書類名】明細書
【補正対象項目名】００３０
【補正方法】変更
【補正の内容】
【００３０】
また、上述のディスク１３を吸着した状態で、従来行われているディスク１３の読みとり面をクリーニングするとき、持つ指などに邪魔されずクリーニングでき、つまり、ディスク外周を指で摘むとディスク上面より指先が突出し、その指先がディスク外周近傍面のクリーニングの邪魔となる事であり、よって指先が邪魔にならず、またディスク１３を直接持つことなく保持してクリーニングすることができる。